(57)【要約】【課題】   時計の回転部分特にテンプの振動を調整すること。【解決手段】 本発明の時計によれば、テンプの軸受け一方がテンプ支持部材４内に配置される。この支持部材４は、第１部分１６と第２部分１８とを有する。第１部分１６は、底部プレート１４に可変に固定される。第２部分１８は、調整ネジ部材３４によるテンプ支持部材４を変形させる手段を有する。調整ネジ部材３４の一端が、底部プレートに配置される。この調整ネジ部材３４を回転することにより、第２部分と底部プレートの間の距離を変化させる。プレート１０の中央部分２０の両側に機械的強度が弱い領域２２，２４が形成される。調整ネジ部材３４を動かすことにより、機械的強度が弱い領域２２，２４のみを変形させ、変形を局部的にする。プレート１０が変形すると、軸受けが配置された中央部分２０は、底部プレートに対し動き、回転部分の振動を調整する。【選択図】  図７
2007178432.tif 000002
【特許請求の範囲】
【請求項１】
回転部品（６）を有する機械式時計において、
前記回転部品（６）は、真を有し、
前記真の一端は、回転部品支持部材（４，４Ａ，４Ｂ，６４）が具備する第１軸受け内で回転し、他端は、底部プレート（１４）に配置される第２軸受け内で回転し、
前記機械式時計は、前記回転部品の振動を調整する振動調整手段を有し、
前記振動調整手段は、固定手段（３０）と支持部材変形手段（３４，９４）とで形成され、
前記固定手段（３０）は、前記回転部品支持部材の第１部分（１６，１８）を、底部プレート対し一定位置となるよう、底部プレートに固定し、
前記支持部材変形手段（３４，９４）は、前記回転部品支持部材の第２部分（１８，１８Ｂ，８２）と底部プレートとの間の相対位置を、前記回転部品支持部材を変形させることにより、変えるよう配置され、
前記回転部品支持部材の第１部分と第２部分は、前記支持部材変形手段を動かすことにより、前記第１軸受けと第２軸受けの間の距離を変化させるよう、具備され、
前記機械式時計は、前記回転部品支持部材の第１部分と第２部分との間に、少なくとも１個の機械的強度が弱い領域（２２，２４，８４）を有し、
前記機械的強度が弱い領域は、前記第１軸受けが配置される領域外に配置され、第１部分と第２部分の間に、局部的変形領域又は柔軟な折り曲がり領域を形成する
ことを特徴とする機械式時計。
【請求項２】
前記機械的強度の弱い領域は、前記支持部材の横方向領域により形成され、
前記横方向領域の厚さは、前記横方向領域の両側にある２つの隣接領域領域（５４，５６，５５，５７）のそれよりも薄い
ことを特徴とする請求項１記載の機械式時計。
【請求項３】
前記第１部分と第２部分は、それぞれ前記第１軸受けの一方の側と他方の側に、配置され、
前記機械的強度の弱い２つの領域は、それぞれ第１部分と第１軸受けとの間、及び第２部分と第２軸受けとの間に、配置される
ことを特徴とする請求項１または２記載の機械式時計。
【請求項４】
前記支持部材は、プレート（１０）を有し、
前記プレート（１０）に、第１軸受けと前記機械的強度の弱い２つの領域が、配置される
ことを特徴とする請求項３記載の機械式時計。
【請求項５】
前記支持部材変形手段は、１個の要素の位置を変化させることにより、動かされることを特徴とする請求項１−４いずれか記載の機械式時計。
【請求項６】
前記支持部材変形手段は、前記支持部材の第２部分と前記底部プレートとの間の距離を調整する調整ネジ部材（３４）により、形成され、
前記調整ネジ部材は、前記底部プレートに当たる平坦なヘッド（３６）と、前記底部プレートの反対側の前記支持部材の上部表面（４６）からアクセス可能な第２端部とを有し、
前記第２端部は、前記支持部材の第２部分と底部プレートの間の距離を変化させるために、前記調整ネジ部材を回転する工具に適合できる形状を有する
ことを特徴とする請求項１−５いずれか記載の機械式時計。
【請求項７】
前記支持部材は、テンプ支持部材、或いはツゥールビヨン支持部材であり、
前記回転部品は、テンプ、或いはツゥールビヨン・キャリッジである
ことを特徴とする請求項１−６いずれか記載の機械式時計。
【発明の詳細な説明】
【技術分野】
【０００１】
本発明は、機械式時計に関し、特に、回転部品あるいは回転車セットの振動、特にテンプの振動を調整する手段を有する機械式時計に関する。
【背景技術】
【０００２】
特許文献１は、テンプ・コックを弾性変形させることにより、テンプ真の軸方向の振動を調整する装置を開示している。テンプ・コックは、底部プレートに固定されるベースとプレートとから構成される。このプレートがテンプ真がその中で回転する２個の軸受けの内の一方を具備する。テンプ側にヘッドを有する調整ネジ部材は、前記プレートの自由端に具備される。この調整ネジ部材は、プレートの上部から駆動され、調整ネジのヘッドは、第２調整ネジの溝内に係合し、調整ネジ部材の支持部材として機能する。この調整ネジ部材を調整することにより、テンプ・コックのプレートは、その自由端の高さが変化し、変形する。このプレートは、一定の厚さを有するが、テンプ真のベースの側で若干厚くなっている。
【０００３】
【特許文献１】スイス特許第 ３６８ ７５２ 号明細書
【特許文献２】フランス特許第 １ ５４５ ７４８ 号明細書
【特許文献３】スイス特許第 ５０３ ３０８ 号明細書
【０００４】
上記振動調整装置のプレートの変形により、軸受けがプレートに配置される領域で応力を発生する。実際に、軸受けは、調整ネジの手段によりプレートが変形することにより応力が大きくなる領域に配置される。これが、軸受けに関連する要素に応力を発生させ、この応力が、テンプ真の自由回転に悪影響を及ぼす。
【０００５】
特許文献２は、時計のテンプの振動を調整する装置を開示する。テンプ・コックは、底部プレートに固定されたベースとプレートとで形成される。このプレートの中心部分に、テンプ真用の上部軸受けが配置される。テンプ・コックは、最終的にプレートを伸ばす端部部分により形成される。この端部部分は、より低い傾斜表面を有する。ピンに中心をずらして配置されたディスクが具備され、底部プレートに対する端子部分の高さを変える。この中心をずらして配置されたディスクが、前記のより低い傾斜表面に当たるために、ディスクが搭載されるピンを駆動すると、端部部分が垂直方向に沿って移動する。その結果、テンプ・コックのプレートが変形し、テンプの振動が調整される。特許文献１に記載されているように、テンプ・コックのプレートが変形することにより、軸受けが配置されるプレートの上部部分に大きな応力がかかる。この応力は、軸受け及びその関連部品に悪影響を及ぼす。この場合、変形は、中央部分にのみ限定されるが、それは、中央部分が、ひげゼンマイに重なり合う領域に形成されるより低い凹部を有するからである。その結果、プレートは、中央領域で曲げられ、テンプの自由回転に悪影響を及ぼす。
【０００６】
特許文献３は、時計のムーブメントのテンプ支持部材の高さ、特にテンプ・コックの高さを位置決める調整装置に関する。テンプ・コックは、ベースとプレートから形成される。プレートは、ベースに対向する側にネジ部材を有する。このネジ部材が、ムーブメントの底部プレート上の支持部材上に静止部分を有する。このネジを動かすことにより、プレートの相対高さが変わる。これにより、プレートの変形を引き起こし、プレートの中央部分に配置される軸受けの位置を変化させる。かくしてテンプの振動が調整される。調整ネジ部材が、第２ネジ部材により規定された位置に保持され、第２ネジ部材のヘッドが、調整ネジ部材のヘッド上で停止する。この特許文献３は、上記の特許文献１，２と類似し、同様な欠点を有する。
【発明の開示】
【発明が解決しようとする課題】
【０００７】
本発明の目的は、時計の回転部品即ち回転車セット特にテンプの振動を調整し、回転部品の振動を早急かつ効率的に調整する装置を提供することである。この振動の調整は、上部軸受けを有するテンプ支持部材の弾性変形により行う。この上部軸受け内を、この回転部品の真が回転し、これにより軸受けが配置される領域の変形応力を制限する。
【課題を解決するための手段】
【０００８】
それ故に本発明は、真即ち真棒を有する回転部品を有する機械式時計に関する。この真の一端は、テンプ支持部材が具備する第１軸受け内で回転し、他端は底部プレートに配置された第２軸受け内で回転する。本発明の時計は、回転部品の真即ち真棒の振動を調整する手段を有する。この調整手段は、第１手段と第２手段により形成される。第１手段は、テンプ支持部材の第１部分を底部プレートに固定する手段であり、これにより第１部分を底部プレートに対し所定の位置に配置する。第２手段は、テンプ支持部材を変形させる手段であり、この第２手段は、テンプ支持部材の第２部分と底部プレートとの間の相対的位置を、テンプ支持部材を変形させることにより、変える。これらの第１部分と第２部分は、変形手段を動かすことにより、第１軸受けの位置を第２軸受けに対し変化させるように、具備される。本発明の時計は、第１部分と第２部分の間に、機械的強度の弱い領域を有し、この領域が、第１部分と第２部分の間に、局部的な変形領域あるいは柔軟な折り曲げ領域を規定する。好ましい変形例においては、この局部変形領域は、テンプ支持部材プレートの底部プレートの側に形成された横方向溝で形成される。
【０００９】
本発明の一実施例においては、テンプ支持部材は、両脚式で、その第１部分と第２部分は、テンプ支持部材の２つのベースにより規定される。後者の場合、機械的強度の弱い２つの領域が具備される。この２つの領域は、プレートの両端に配置された、即ち２個のベースの極近傍に配置された２個の横方向溝により、形成される。
【実施例】
【００１０】
図１は、回転部品に適合し、この回転部品の振動調整装置を具備した本発明の機械式時計２の第１実施例を示す。
【００１１】
本発明の第１実施例を、図１−７を参照して以下説明する。この第１実施例においては、上記のテンプ支持部材とはテンプ支持部材４であり、上記の回転部品とはテンプ６である。従来と同様に、テンプ６は真棒を有する。この真棒の一端は、テンプ支持部材４のプレート１０に形成された第１軸受け内で回転する。この第１軸受けは、ひげゼンマイ真ホルダ８の開口内に配置される。このひげゼンマイ真ホルダ８は、当業者に公知の衝撃吸収装置を具備する。ひげゼンマイ真ホルダ８は、テンプ支持部材４の中央シート１２に配置される。テンプ６の真棒の第２端は、時計２の底部プレート１４に配置される第２軸受け内で回転する。
【００１２】
テンプ支持部材４は、プレート１０の両側に配置された２つのベース１６、１８を有するダブル（両脚式）テンプ支持部材である。第１軸受けが、テンプ支持部材４の中央部分２０に配置される。ひげゼンマイ真ホルダ８用の中央シート１２の厚さは、この実施例においては、中央シート１２に隣接する２つの部分のプレート１０の厚さよりも薄い。本発明によれば、テンプ支持部材４は、２つの機械的強度が弱い領域２２，２４を、プレート１０の両端（即ち、ベース１６，１８とひげゼンマイ用の第１軸受けを搭載する中央部分２０との間）に有する。これらの２つの機械的強度の弱い領域２２，２４は、それぞれある長さの溝により形成された横方向領域により形成される。次にこの機械的強度の弱い領域の機能について説明する。
【００１３】
テンプ支持部材４の第１部分であるベース１６の剛性の固定ネジ部材３０が、底部プレートに具備される。テンプ支持部材４の第２部分は、底部プレートに、固定ネジ部材３２の手段により固定される第２ベース１８である。この第２ベース１８は、テンプ支持部材４を弾性変形させる手段に関係する。この弾性変形手段は、比較的大きな直径でその中心に貫通孔を開けた調整調整ネジ部材３４により構成される。この調整ネジ部材３４は、平坦なヘッド３６を有する。この平坦なヘッド３６は、テンプ支持部材４の底部部分からネジにねじ込むためのスロット（図５）を有する。調整ネジ部材３４は、円筒部３８を有する。この円筒部３８は、細かいピッチで外側にネジが切られ、対向ヘッド３６の外側表面３７とテンプ支持部材４の底部表面５との間の距離（図４）を微妙に調整できる。調整ネジ部材３４を貫通する孔４０は、固定ネジ部材３２の直径より大きな直径を有し、固定ネジ部材３２は、貫通孔４０内に自由に挿入される。
【００１４】
調整ネジ部材３４が、テンプ支持部材４のベース１８を貫通する孔４２内にねじ込まれる。孔４２は、ベース１８の上部部分で拡大する部分を有する。この拡大部分は、固定ネジ部材３２のヘッドの停止部材として機能する平坦な環状表面を有する。固定ネジ部材３２の底部は、底部プレート１４内にねじ込まれ、ベース１８を底部プレート１４に固定する。
【００１５】
調整ネジ部材３４は、その上部端部で、対向ヘッド３６と上部管状部分とを有する。この上部管状部分は、直径方向に対向した２個のスロット４４を有する。スロット４４内に、ねじ回しが、挿入されて、固定ネジ部材３２が存在しない時に、テンプ支持部材４の上部表面４６から、調整ネジ部材３４を回転し調整できるようにしている（図４，６）。湾曲ワッシャ４８の形状を有する摩擦スプリングが、調整ネジ部材３４の対向ヘッド３６とベース１８の底部表面５との間（図４）に配置される。位置決め用ピン５０が、ベース１８を時計ムーブメント２の面に配置するために、具備される。
【００１６】
対向ヘッド３６の外側表面３７が底部プレート１４上にある時は、調整ネジ部材３４を回転することにより、ベース１８と底部プレート１４との間の相対距離が変わる。固定ネジ部材３２を貫通孔４０から取り除いて、ベース１８のテンプ支持部材４の上部表面４６からの高さを調整する。これを行うために、時計メーカーは、調整ネジ部材３４を底部プレート１４に当たるように保持する。これは、、必要に応じて、例えば適宜の工具を用いて行う。ベース１６が任意の場所で底部プレート１４に当てて固定されると、調整ネジ部材３４を動かすことにより、テンプ支持部材４を変形（図７）させる。かくして調整ネジ部材３４を動かすことにより、ベース１８と底部プレート１４との間の距離が変わり、プレート１０が変形する。その結果、中央部分２０（ここにテンプの軸真の上部軸受けが配置される）も動き、これによりテンプの振動を調整する。
【００１７】
前述したように、プレート１０は、その両端に、２ヶ所の機械的強度が弱い領域２２，２４を有する。これらは、それぞれベース１６とベース１８の間に、局部的変形領域即ち柔軟な曲げ領域を規定する。これらの局部的変形領域は、プレート１０の底部側に、２本の溝を機械加工することにより得られ、この２本の溝が、２つの隣接する領域５４，５６と、領域５５，５７よりも薄い肉厚の横方向領域を規定する。テンプ支持部材４の変形は、かくして機械的強度が弱い領域２２，２４に局所的に発生する。その結果、ベース１６，１８は、この変形に起因する応力を殆ど受けることなく、プレート１０の中央部分２０は、平坦な形状を維持する。更に機械的強度が弱い領域２２，２４は、ベース１８がベース１６に対し上下に動くときには、テンプ支持部材４内に生成される全般的な応力を低減させる。テンプの振動を調整することにより、プレート１０の中央部分２０が傾斜するが、この傾斜は極小さい。
【００１８】
本発明により、ひげゼンマイ真用の中央シート１２は、平坦な形状を維持し、小さな引っ張り力しか受けない。機械的強度が弱い領域２２，２４の配置は、ひげゼンマイ真要のの中央シート１２がプレート１０を機械加工することにより形成される場合には、更に必要である。かくして中央シート１２は、中央シート１２の周辺領域５４，５５よりも薄肉厚であり、これにより中央部分２０をより変形しやすくする。従って、図８に示す装置において、即ち本発明の横方向の機械的強度が弱い領域が存在しない場合には、テンプ支持部材４Ａは、Ｓ字型に変形し、プレート１０ａの変形は、その中央部分２０Ａで起きる。この中央部分は、この変形による応力を強く受ける。これは、軸受けとこの軸受け内で回転する回転車セット（テンプ）に悪影響を及ぼす。当業者は、本明細書を参照することにより、他の形状のテンプ支持部材及びテンプの振動を調整する他の手段も、容易に想到することができる。
【００１９】
本発明の振動調整装置は、比較的シンプルで安価である。更に、固定ネジ部材３０と調整ネジ部材３２を同軸に配置する（図４）ことは、テンプ支持部材が必要とする空間を増加させることはない。
【００２０】
この振動調整装置は、テンプ支持部材４の底部表面５から調整ネジ部材３４を、そのヘッドが所定の高さに達するまで、ねじ込むことにより、容易に搭載可能である。そして次に、テンプを２つの軸受けに搭載しながら、テンプ支持部材を底部プレートに搭載する。テンプ（あるいは他の回転部品）の振動は、調整ネジ部材３４を回転することにより、簡単に調整できる。この調整は、対向ヘッド３６に搭載されたスロット４４を用いて行われる。この上部端部は、テンプ支持部材の上部表面４６から、ベース１８を貫通する孔４２を介して、工具によりアクセスできる。調整が行われると、固定ネジ部材３２が、調整ネジ部材３４の孔４０内に挿入され、ベース１８が底部プレート１４に固定されるまで、締め付けられる。弾性特性を有する湾曲ワッシャ４８が、調整ネジ部材３４を所望の位置に保持する。２つの軸受けの間の距離が調整ネジ部材３４の手段により細かく調整されると、テンプ支持部材４の高さを調整するシステムは封止されて、テンプ支持部材は底部プレートにしっかりと固定される。
【００２１】
本発明は、ツゥールビヨンを具備する時計ムーブメントにも適用可能である。ツゥールビヨンの場合、ツゥールビヨン・キャリッジの振動は、ツゥールビヨン・キャリッジが回転する２個の軸受けの一方を、ツゥールビヨン支持部材が具備する本発明の装置で、調整される。
【００２２】
図９は本発明の時計の第２実施例の断面図を示す。
【００２３】
この実施例においては、テンプ支持部材６４はシンプル（片持ち梁）タイプである。即ち、１個のベース６８がプレート７０の一端に形成され、他端である自由端７２に第１軸受け７４を有し、この第１軸受け７４内をテンプ６の真棒７６の一端が回転する。真棒７６の第２端は、底部プレートの配置された第２軸受け７８内を回転する。第１軸受け７４と第２軸受け７８は、図９に示す。従来と同様に、第１軸受け７４は、当業者に公知の衝撃吸収装置を具備する。
【００２４】
テンプ６の振動を調整する手段は、本発明によれば、プレート７０の傾斜の変動（従って軸受け７４，７８の間の距離の変動）を生成するテンプ支持部材６４を変形させることにより、得られる。こうするために、ベース６８は、２個の部分８０，８２有し、それらの間を中間領域８４が分離する。この中間領域８４が、ベースの部分８０，８２の間の局部的変形を引き起こす機械的強度の弱い横方向の領域を形成する。第１部分８０は、第１軸受け７４から最も遠い場所にあり、底部プレート１４に剛性の固定ネジ部材３０の手段によりしっかりと固定される。この第１部分８０は、固定ネジ部材３０がねじ込まれたときに、底部プレート１４に対し一定かつ不変の位置に保持される。第２部分８２は、この第２部分８２と底部プレート１４との相対的位置を変化させる装置を具備する。これにより、テンプ支持部材の変形特に中間領域８４の変形を引き起こす。かくして、テンプ支持部材６４の部分８０，８２の間の相対位置が変化し、これによりプレート７０の移動、特に底部プレート１４に対する第１軸受け７４の移動を発生させる。第２部分８２に機能するこのテンプ支持部材変形手段は、本発明の第１実施例に含まれる故に、これ以上の詳細な説明は割愛する。
【００２５】
図１０は、テンプ支持部材４Ｂを変形させる手段の他の実施例を示す。この他の実施例は、本発明の時計の両方の実施例に適用可能である。しかし図１０の実施例は、図１の第１実施例の両脚テンプ支持部材の場合に対応する。かくしてテンプ支持部材４Ｂは、図１の実施例のベース１８に類似するベース１８Ｂを有する。
【００２６】
図１０の実施例がそれ以前の図の実施例と異なる点は、ベース１８Ｂを底部プレート１４に固定する固定ネジ３２が、テンプの振動を調整するネジ部材９４とは同軸にないことである。調整ネジ部材９４は、テンプ支持部材４Ｂを変形させ、ベース１８Ｂと底部プレート１４の間の相対距離を変化させるが、固定ネジ３２とテンプ支持部材４Ｂのプレート１０との間に配置される。この調整ネジ部材９４は、固定ネジ部材３２の反対側に配置することもできる。図１０の調整ネジ部材９４が他の実施例の調整ネジ部材３４から異なる点は、調整ネジ部材９４は貫通孔を有さず、その上部端９６が、テンプ支持部材４Ｂの上部表面４６から見ることができ、アクセス可能である点である。この場合、固定ネジ部材３２がベース１８Ｂに形成された貫通孔９８内に配置される。調整ネジ部材９４の上部端９６は、スロット４４Ｂを有する。このスロット４４Ｂにより、上部端９６は回転し、かくしてベース１８Ｂと底部プレート１４Ｂの間の距離を変化させる。この距離を増加するために、時計製造業者は、固定ネジ部材３２を緩める。
【００２７】
テンプ振動調整装置の後者の実施例は、ある利点と同時にある欠点も有する。ここでは、変形手段である調整ネジ部材９４は、１個の要素で形成され、固定ネジ部材３２を貫通孔９８内に残したまま、動かすことができる。調整ネジ部材９４は、中実で、第１実施例の貫通孔を有する調整ネジ部材３４よりは製造コストは高価ではない。しかし、この実施例はより広いスペースが必要である、特にベース１８Ｂの寸法が、第１実施例のベース１８より大きくなることが必要である。
【００２８】
図９の第２実施例に類似する本発明の他の実施例においては、図１０の調整ネジ部材９４に類似する１個のネジ部材が、固定ネジ部材３２に関連する調整ネジ部材３４を置換する。この場合、テンプ支持部材６４の機械加工は、テンプの振動を調整することは、第１軸受け７４を第２軸受け７８から離すために、必ず調整ネジ部材９４のネジを緩めることが必要であるように、行われる。かくして調整ネジ部材９４の対向ヘッド３６は、底部プレート１４の表面に、テンプ支持部材６４の変形に起因する機械的抵抗力により、当たっている。中間領域８４の一部は、調整ネジ部材９４のネジを緩めることにより、この領域が変形するように選択され、一方、固定ネジ部材３０がねじ込まれたときに、対向ヘッド３６を底部プレート１４に対し押しつけるように、十分な力が、対向ヘッド３６にかかるように、行われる。
【００２９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００３０】
【図１】本発明のテンプの振動調整装置を具備したテンプ支持部材を有する時計ムーブメントの部分斜視図。
【図２】図１の実施例のテンプ支持部材の斜視図。
【図３】図１の時計ムーブメントに組み合わされた本発明のテンプ振動調整装置の横方向部品展開図。
【図４】図１の時計ムーブメントに組み合わされた本発明のテンプ振動調整装置の部分断面図。
【図５】図３のテンプ支持部材を裏面から見た斜視図。
【図６】図３のテンプ支持部材を上面から見た斜視図。
【図７】変形した状態にある本発明のテンプ支持部材の横方向断面図。
【図８】従来のテンプ支持部材の横方向断面図。
【図９】本発明のテンプ振動調整装置に適合したテンプ支持部材の第２実施例を表す断面図。
【図１０】本発明のテンプ振動調整装置の変形例を表す断面図。
【符号の説明】
【００３１】
２    機械式時計
４    テンプ支持部材  
５    底部表面
６    テンプ
８    ひげゼンマイ真ホルダ
１０  プレート
１２  中央シート
１４  底部プレート
１６，１８  ベース
２０  中央部分
２２，２４  機械的強度が弱い領域
３０  固定ネジ部材
３２  固定ネジ部材
３４  調整ネジ部材
３６  平坦なヘッド
３７  外側表面
３８  円筒部  
４０  孔
４２  孔
４４  スロット
４６  上部表面
４８  湾曲ワッシャ
５０  位置決めピン
５４，５６  領域
５５，５７  領域
６４  テンプ支持部材
６８  ベース
７０  プレート
７２  自由端
７４  第１軸受け
７６  真棒
７８  第２軸受け
７４，７８  軸受け
８０，８２  部分
８４  中間領域
９４  調整ネジ部材
９６  上端部
９８  孔
【図１】
2007178432.tif 000003
【図２】
2007178432.tif 000004
【図３】
2007178432.tif 000005
【図４】
2007178432.tif 000006
【図５】
2007178432.tif 000007
【図６】
2007178432.tif 000008
【図７】
2007178432.tif 000009
【図８】
2007178432.tif 000010
【図９】
2007178432.tif 000011
【図１０】
2007178432.tif 000012
【外国語明細書】
2007178432000001.pdf